【事件の表示】
　特願２００２−　４２９９３「印刷データ作成プログラム」拒絶査定不服審判事件〔平成１５年　８月２９日出願公開、特開２００３−２４２１３５〕について、次のとおり審決する。
【結　論】
　本件審判の請求は、成り立たない。
【理　由】
１．手続の経緯及び本願発明
　本願は、平成１４年２月２０日の出願であって、平成１８年７月１１日に拒絶査定がなされ（発送日同年７月１８日）、これに対して同年８月１７日に拒絶査定不服審判が請求されたものであって、本願の請求項１に係る発明（以下「本願発明」という。）は、平成１８年４月２７日付手続補正書の特許請求の範囲の請求項１に記載された事項により特定される次のとおりのものである。
　
「【請求項１】　印刷を行なう用紙のサイズを入力する用紙サイズ入力ステップと、
　前記入力された用紙のサイズと、入力されたマークアップランゲージのソースとに基づき、改ページ位置を特定し、ページレイアウトを行なうページレイアウトステップと、
　前記ページレイアウトステップによるページレイアウトの結果と、前記入力されたマークアップランゲージのソースとに基づき、リンク先のページ情報を作成するリンク先ページ情報作成ステップと、
　前記リンク先のページ情報と、前記入力されたマークアップランゲージのソースとから、リンク元の単語と同一ページ内のマークアップランゲージデータ外のエリアに前記リンク先のページ情報を印刷するデータを作成する作成ステップとをコンピュータに実行させる、印刷データ作成プログラム。」
　
２．引用例
　原査定の拒絶の理由で引用された特開平９−３２５９５７号公報（以下「引用例」という。）には、図面とともに次の事項が記載されている。（摘記箇所は段落番号により特定する。）
　
（ア）「【００４５】ところで、ハイパーテキストのような階層構造をなす複数のテキストを印刷する場合、実際に印刷されたテキスト（紙面）の状態では、一旦、テキストをバラバラにしてしまうと、各々のテキスト間の上下関係が分かり難くなるうえ、リンク情報にて関連付けられた複数のテキスト間に存在する上位階層から下位階層への参照能力が印刷出力されることで消失し、ハイパーテキスト本体の利便性を失ってしまうことも懸念される。そこで、こうした懸念を解消すべくなされた本発明の他の実施形態について以下に説明する。
【００４６】図１３は本発明の他の実施形態が適用されるテキスト印刷システムの概略構成図である。本システムにおいては、コンピュータ装置２０とプリンタ装置２１とがネットワーク２２を介して接続されている。また、印刷対象となるテキストは、ネットワーク２２上に存在する図示せぬサーバに格納されている。
【００４７】図１４は上記プリンタ装置２１の構成を示す機能ブロック図である。図示のようにプリンタ装置２１は、制御部２３と、操作表示部２４と、ネットワークインタフェース部２５と、受信データ格納部２６と、データ処理部２７と、データ展開部２８と、リンク／頁情報格納部２９と、ページバッファ３０と、印刷部３１とから構成されている。
【００４８】制御部２３は、プリンタ装置各部に対する処理実行の指示と、ネットワークインタフェース部２５を介してネットワーク２２上のサーバ（不図示）にテキストの送信要求を行うものである。操作表示部２４は、オペレータがアルファベット、数字及び記号を入力可能なキーボードとともに、入力した文字列を確認するための液晶表示パネルを備えたものである。ネットワークインタフェース部２５は、所定の通信プロトコル(TransmissionControl Protocol/Internet Protocol，Hyper Text Transfer Protocol等) に従ってネットワーク２２上のサーバ（不図示）とテキストの送受信を行うもので、このネットワークインタフェース部２５を介して受信されたテキストは受信データ格納部２６に格納される。
【００４９】データ処理部２７は、「テキスト内のリンク情報の抽出処理」と「テキスト内への参照頁番号の付加処理」を行うものである。ここで、「テキスト内のリンク情報の抽出処理」とは、制御部２３からリンク情報の抽出実行指示を受けた場合に行われるもので、具体的には、テキスト内に記述されている他のテキストへのリンク情報を抽出し、そのリンク先テキストをリンク／頁情報格納部２９に格納する処理をいう。また「テキスト内への参照頁番号の付加処理」とは、制御部２３からデータの付加実行指示を受けた場合に行われるもので、具合的には、テキスト内のリンク情報が記述されている箇所に対し、リンク／頁情報格納部２９で検索されたリンク先テキストに対応する参照頁番号を付加する処理をいう。このデータ処理部２７で処理されたテキストはデータ展開部２８に通知される。ここで、上述の“参照頁番号”とは、実際に複数のテキストを印刷する場合に、それぞれのテキストが何頁目に印刷されているかを示す頁番号となるものである。
【００５０】データ展開部２８は、制御部２３からデータ展開の実行指示を受けると、データ処理部２７から通知されたテキスト内に記述されているタグ（本形態ではテキストの表題、テキストの表示属性、リンクに関する情報等を記述している）を解釈し、その記述内容に従って各々のテキストをページ単位でビットマップに展開し、これによって得られたビットマップデータをページバッファ３０に格納するものである。また、データ展開部２８では、その展開処理によって得られたビットマップデータの頁数をカウンタ等でカウントし、そこでカウントされた総頁数に基づき、リンク／頁情報格納部２９内の処理未実施である次テキストの参照頁番号を設定する。
【００５１】リンク／頁情報格納部２９は、例えば図１５に示すように、リンク情報の抽出順を示すエントリー番号（NO. ）とともに、データ処理部２７で抽出されたリンク情報（図例ではリンク先テキストのアドレス）や、データ展開部２８で設定された各テキストの参照頁番号、さらには処理済フラグ(flag)を一組とした「リンク／頁情報」を表形式で格納するもので、このうちエントリー番号についてはデータの初期化（リセット処理）を行った場合でも失われないようになっている。また、処理済フラグは、制御部２３が後述の処理（頁情報収集処理，印刷処理）を実施するにあたって、各々のリンク先テキストに対する所定の処理が終了したことを示すフラグであり、この値が「１」の場合は「処理終了」を示し、「０」の場合は「処理未実施」を示す。
【００５２】ページバッファ３０は、データ展開部２８によって展開されたビットマップデータを記憶するものである。印刷部３１は、制御部２３から印刷実行指示を受けると、ページバッファ３０内に格納されているビットマップデータを読み出し、これを用紙上に可視画像として印刷出力するものである。その際、印刷部３１では、制御部２３からの印刷指示の回数を計数し、各頁の印刷時にその指示回数（印刷頁数）を頁番号として用紙の所定位置（例えば右下、右上など）に合成して印刷する。」
  　
（イ）「【００５３】次に、本実施形態におけるテキスト印刷システムの動作について説明する。本テキスト印刷システムでは、図１６に示すように、先ず頁情報収集処理を行い（ステップＳ１００）、その後で印刷処理を行う（ステップＳ２００）。
【００５４】図１７は上述した頁情報収集処理のフローチャートである。先ず、ステップＳ１０１では、コンピュータ装置２０から出力された最上位階層のテキストを指定するアドレスを、例えばＵＲＬ(Uniform Resource Locators) の記述に従って操作入力部２４にて受け付け、その受け付けたアドレスを制御部２３に通知する。これを受けて制御部２３では、リンク／頁情報格納部２９内のデータをリセット（初期化）したのち、上述のごとく通知された最上位テキストのアドレスをリンク／頁情報格納部２９に格納し、さらにそのアドレスに対応する参照頁番号に「１」を設定する（ステップＳ１０２）。
【００５５】次に、制御部２３は、アドレスに記述されているネットワーク２２上のサーバ（不図示）に対し、ネットワークインタフェース部２５を介して上記最上位階層のテキストの送信要求を行う。これによりネットワークインタフェース部２５では、プリンタ装置２１側からの要求に対してサーバから送られてくるテキストを受信し、これを受信データ格納部２６に格納する（ステップＳ１０３）。次いで、制御部２３は、上述した「テキスト内のリンク情報の抽出処理」を実行する旨の指示をデータ処理部２７に与える。これによりデータ処理部２７では、受信データ格納部２６に格納されたテキストを読み出すとともに、そのテキスト内に記述されているリンク情報を抽出し、これに記述されているリンク先テキストのアドレスをリンク／頁情報格納部２９に追加する（ステップＳ１０４）。このとき、リンク情報に記述のアドレスに対応する処理済フラグには、処理未実施を示す値「０」を代入しておく。
【００５６】これにより、リンク／頁情報格納部２９には、図１８に示すように、エントリー番号：NO. １に最上位階層のテキストのリンク情報（アドレス）が格納されるとともに、そのテキストの中からリンク情報が抽出されるごとに、そのリンク情報に記述されているリンク先テキストのアドレスがエントリー番号：NO. ２，NO. ３，NO. ４…といった具合に順に追加される。
【００５７】続いて、制御部２３は、データ展開部２８に対してデータの展開処理を実行する旨の指示を与える。これによりデータ展開部２８では、データ処理部２７から通知されたテキストをビットマップに展開するとともに、データ展開を終えたテキストに対応するリンク／頁情報格納部２９内の処理済フラグの値を「１」に設定する。またデータ展開部２８では、リンク／頁情報格納部２９内の展開処理対象のテキストに対応する参照頁番号と、展開処理によって得られたビットマップ頁数とを加算し、その加算値を、処理済フラグが「０」であるテキストのうち、エントリー番号（NO. ）が最も小さいテキスト、つまり次にデータ展開すべきテキストに対応する参照頁番号に設定する（ステップＳ１０５）。
【００５８】例えば、図１８において、エントリー番号：NO. １に対応する最上位階層のテキストをデータ展開したときの頁数が２頁であった場合は、そのテキストに対応する参照頁番号「１」にその展開頁数である「２」を加算し、その加算値「３」を次テキスト、つまりエントリー番号：NO. ２のテキストに対応する参照頁番号に設定する。
【００５９】その後、制御部２３は、リンク／頁情報格納部２９内にエントリーされているテキストの中で処理済フラグが「０」のものが存在するか否か、つまりデータ展開が未実施のリンク情報が存在するか否かを判断し（ステップＳ１０６）、存在する場合はネットワーク２２上のサーバに対して再度ネットワークインタフェース部２５を介してテキストを要求し（ステップＳ１０７）、これによって得られたテキストに対してステップＳ１０５と同様の処理を行う。
【００６０】この時点では、エントリー番号：NO. ２以降のテキストが処理未実施、つまり処理済フラグの値が「０」になっているため、先ずエントリー番号：NO. ２に対応するテキストをサーバに要求し、そのテキストをビットマップに展開する。そして、図１８に示すように、エントリー番号：NO. ２のテキストをデータ展開したときの頁数が４頁であった場合は、そのテキストに対応する先頭頁番頭「３」にその展開頁数である「４」を加算し、その加算値「７」を次テキスト（エントリー番号：NO. ３）に対応する参照頁番号に設定する。また、データ展開を終えたエントリー番号：NO. ２のテキストに対応する処理済フラグを「１」に設定する。
【００６１】以後、処理未実施のテキスト（エントリー番号：NO. ３以降のテキスト）に対しても上記同様の処理を繰り返し、ステップＳ１０６にて処理未実施のリンク情報がリンク／頁情報格納部２９内に存在しないと判断した時点で一連の頁情報収集処理を終了する。」
　
（ウ）「【００６２】図１９は先述した印刷処理のフローチャートである。先ず、ステップＳ２０１において、制御部２３は、リンク／頁情報格納部２９内の処理済フラグを全て、処理未実施を示す値「０」に設定する。次に、制御部２３は、リンク／頁情報格納部２９内のエントリー番号：NO. １に対応する最上位階層のテキストをネットワークインタフェース部２５を介してサーバに要求する。これによりネットワークインタフェース部２５では、プリンタ装置２１側からの要求に対してサーバから送られてくるテキストを受信データ格納部２６に格納する（ステップＳ２０２）。
【００６３】次いで、制御部２３は、先述した「テキスト内への参照頁番号の付加処理」を実行する旨の指示をデータ処理部２７に与える。これによりデータ処理部２７では、受信データ格納部２６に格納されているテキストを読み出すとともに、そのテキスト内に記述されているリンク情報の記述箇所とリンク先テキストとを検出し、そのリンク先テキストに対応するリンク／頁情報格納部２９内の参照頁番号を、上記リンク情報の記述箇所に付加する（ステップＳ２０３）。
【００６４】例えば、図２０において、上述のごとく受信データ格納部２６に格納されているテキストを読み出した際に、エントリー番号：NO. ３に対応するリンク情報が検出された場合は、これに対応するリンク／頁情報格納部２９内の参照頁番号「７」をそのリンク情報の記述箇所に付加し、同様にエントリー番号：NO. ４に対応するリンク情報が検出された場合は、これに対応するリンク／頁情報格納部２９内の参照頁番号「１０」をそのリンク情報の記述箇所に付加する。
【００６５】続いて、制御部２３は、データ展開部２８に対してデータの展開処理を実行する旨の指示を与える。これによりデータ展開部２８では、データ処理部２７から通知されたテキスト、この場合は頁情報が付加されたテキストをビットマップに展開するとともに、これによって得られたビットマップデータをページバッファ３０に記憶し、さらにデータ展開を終えたテキストに対応するリンク／頁情報格納部２９内の処理済フラグの値を「１」に設定する（ステップＳ２０４）。
【００６６】次に、制御部２３は、印刷部３１に対して印刷実行の指示を与える。これにより印刷部３１では、テータ展開部２８によってビットマップに展開され且つページバッファ３０に記憶されたビットマップデータを印刷出力するとともに、その印刷出力に際して、制御部２３からの印刷指示回数を計数し、その計数値（印刷頁数）をテキストの印刷イメージに合成して印刷出力する（ステップＳ２０５）。このとき、印刷部３１に対しては、制御部２３から１頁分ごとに印刷指示が与えられるため、最上位階層のテキストを印刷する場合は、印刷開始から順に印刷指示回数がインクリメント（＋１）され、最上位階層のテキスト印刷を終了した段階では印刷指示回数が「２」となる。したがって、エントリー番号：NO. １のテキスト(text1) については、最初の頁に「１」の頁番号が合成印刷され、次の頁に「２」の頁番号が合成印刷される。
【００６７】その後、制御部２３は、リンク／頁情報格納部２９内にエントリーされているテキストの中で処理済フラグが「０」のものが存在するか否か、つまり印刷処理が未実施のリンク情報が存在するか否かを判断し（ステップＳ２０６）、存在する場合はネットワーク２２上のサーバに対して再度ネットワークインタフェース部２５を介してテキストを要求し（ステップＳ２０７）、これによって得られたテキストに対してステップＳ２０３〜Ｓ２０５と同様の処理を行う。
【００６８】この時点では、エントリー番号：NO. ２以降のテキストが処理未実施、つまり処理済フラグが「０」になっているため、ステップＳ２０７にてエントリー番号：NO. ２に対応するテキストをサーバに要求し、上記ステップＳ２０３〜Ｓ２０５と同様に頁情報の付加処理及びビットマップへの展開を行ったのち、そのテキストの印刷イメージに、制御部２３からの印刷指示回数である頁番号を合成して印刷出力する。そして、印刷処理を終えたエントリー番号：NO. ２のテキストに対応する処理済フラグを「１」に設定する。これにより、エントリー番号：NO.２のテキストは、上記最上位階層のテキストに続いて「３」頁目から印刷開始され、印刷終了の頁番号は「６」となる。以後、処理未実施のテキスト（エントリー番号：NO. ３以降のテキスト）に対しても上記同様の処理を繰り返し、ステップＳ２０６にて処理未実施のリンク情報がリンク／頁情報格納部２９内に存在しないと判断した時点で一連の印刷処理を終了する。」
　
（エ）「【００６９】図２１は印刷部３１によるテキストの印刷結果を示す模式図である。図示した印刷結果では、先の図２０に示す「リンク／頁情報」に対応して上位階層のテキスト(text1) から順に、その下位階層のテキスト(text2),(text3),(text4) が印刷されている。また、各階層のテキストには、それぞれの頁内（テキスト用紙）の所定位置（図例では右下）に対し、印刷順に従って頁番号が合成印刷されている。さらに、上位階層のテキスト(text1) 内容には、リンク情報の記述箇所に対してリンク先テキストの参照頁番号が付加されたかたちで印刷されている。
【００７０】このように本テキスト印刷システムでは、テキスト内のリンク情報の記述箇所にそのリンク先テキストの参照頁番号を付加し、さらに参照頁番号が付加された各階層のテキストに対し、印刷頁数に対応した頁番号を合成して印刷するようにしたので、実際に印刷出力されたテキスト（紙面）の状態でも、ハイパーテキスト本体のテキスト間の参照能力を消失することなく、上位階層のテキストと下位階層のテキストとの関連付けを視覚的に認識することが可能となる。」
　
ａ）上記（ア）の【００４５】には「ハイパーテキストのような階層構造をなす複数のテキストを印刷する場合、実際に印刷されたテキスト（紙面）の状態では、一旦、テキストをバラバラにしてしまうと、各々のテキスト間の上下関係が分かり難くなるうえ、リンク情報にて関連付けられた複数のテキスト間に存在する上位階層から下位階層への参照能力が印刷出力されることで消失し、ハイパーテキスト本体の利便性を失ってしまうことも懸念される。そこで、こうした懸念を解消すべくなされた本発明の他の実施形態について以下に説明する。」と記載され、上記（エ）の【００７０】に「このように本テキスト印刷システムでは、テキスト内のリンク情報の記述箇所にそのリンク先テキストの参照頁番号を付加し、さらに参照頁番号が付加された各階層のテキストに対し、印刷頁数に対応した頁番号を合成して印刷するようにしたので、実際に印刷出力されたテキスト（紙面）の状態でも、ハイパーテキスト本体のテキスト間の参照能力を消失することなく、上位階層のテキストと下位階層のテキストとの関連付けを視覚的に認識することが可能となる。」と記載されていることから、引用例にはリンク情報を含むハイパーテキストデータを印刷出力する際の印刷データの作成に関する発明が記載されているものと認められる。
　また、上記（ア）〜（エ）に記載された各処理は、プリンタ装置２１で実行されることが明らかであるから、引用例には印刷データを作成するための処理をプリンタ装置２１が備えるコンピュータに実行させるためのプログラムが記載されているものと認められる。
　
ｂ）上記（ア）の「【００５０】データ展開部２８は、制御部２３からデータ展開の実行指示を受けると、データ処理部２７から通知されたテキスト内に記述されているタグ（本形態ではテキストの表題、テキストの表示属性、リンクに関する情報等を記述している）を解釈し、その記述内容に従って各々のテキストをページ単位でビットマップに展開し、これによって得られたビットマップデータをページバッファ３０に格納するものである。」との記載および技術常識から、引用例におけるハイパーテキスト（テキスト）がマークアップランゲージで記述されたデータソースであることは明らかである。
　また、データ処理部２７から通知されたハイパーテキストは、データ展開部２８によって、テキスト内に記述されているタグを解釈し、その記述内容に従って各々のテキストをページ単位でビットマップに展開する処理が行われている。
　
ｃ）上記（ア）の「ここで、「テキスト内のリンク情報の抽出処理」とは、制御部２３からリンク情報の抽出実行指示を受けた場合に行われるもので、具体的には、テキスト内に記述されている他のテキストへのリンク情報を抽出し、そのリンク先テキストをリンク／頁情報格納部２９に格納する処理をいう。」、上記（イ）の「制御部２３は、上述した「テキスト内のリンク情報の抽出処理」を実行する旨の指示をデータ処理部２７に与える。これによりデータ処理部２７では、受信データ格納部２６に格納されたテキストを読み出すとともに、そのテキスト内に記述されているリンク情報を抽出し、これに記述されているリンク先テキストのアドレスをリンク／頁情報格納部２９に追加する（ステップＳ１０４）。」及び「【００５７】続いて、制御部２３は、データ展開部２８に対してデータの展開処理を実行する旨の指示を与える。これによりデータ展開部２８では、データ処理部２７から通知されたテキストをビットマップに展開するとともに、データ展開を終えたテキストに対応するリンク／頁情報格納部２９内の処理済フラグの値を「１」に設定する。またデータ展開部２８では、リンク／頁情報格納部２９内の展開処理対象のテキストに対応する参照頁番号と、展開処理によって得られたビットマップ頁数とを加算し、その加算値を、処理済フラグが「０」であるテキストのうち、エントリー番号（NO. ）が最も小さいテキスト、つまり次にデータ展開すべきテキストに対応する参照頁番号に設定する（ステップＳ１０５）。」との記載及び図１７，１８から、引用例には、ハイパーテキスト内に記述されている他のテキストへのリンク情報を抽出してそのリンク先テキストをリンク／頁情報格納部２９に格納し、リンク／頁情報格納部２９内のテキストを順次展開処理し、展開処理によって得られたビットマップ頁数とリンク／頁情報格納部２９内の展開処理対象のテキストに対応する参照頁番号とを加算して次にデータ展開すべきテキストに対応する参照頁番号に設定する処理が記載されている。
　
ｄ）上記（ウ）の「【００６３】次いで、制御部２３は、先述した「テキスト内への参照頁番号の付加処理」を実行する旨の指示をデータ処理部２７に与える。これによりデータ処理部２７では、受信データ格納部２６に格納されているテキストを読み出すとともに、そのテキスト内に記述されているリンク情報の記述箇所とリンク先テキストとを検出し、そのリンク先テキストに対応するリンク／頁情報格納部２９内の参照頁番号を、上記リンク情報の記述箇所に付加する（ステップＳ２０３）。」及び「【００６５】続いて、制御部２３は、データ展開部２８に対してデータの展開処理を実行する旨の指示を与える。これによりデータ展開部２８では、データ処理部２７から通知されたテキスト、この場合は頁情報が付加されたテキストをビットマップに展開するとともに、これによって得られたビットマップデータをページバッファ３０に記憶し、さらにデータ展開を終えたテキストに対応するリンク／頁情報格納部２９内の処理済フラグの値を「１」に設定する（ステップＳ２０４）。【００６６】次に、制御部２３は、印刷部３１に対して印刷実行の指示を与える。これにより印刷部３１では、テータ展開部２８によってビットマップに展開され且つページバッファ３０に記憶されたビットマップデータを印刷出力するとともに、その印刷出力に際して、制御部２３からの印刷指示回数を計数し、その計数値（印刷頁数）をテキストの印刷イメージに合成して印刷出力する（ステップＳ２０５）。」の記載から、引用例には、リンク先テキストに対応するリンク／頁情報格納部２９内の参照頁番号と受信データ格納部２６に格納されているハイパーテキストから、そのテキスト内に記述されているリンク情報の記述箇所に対応する参照頁番号を付加してビットマップデータに展開し印刷用のデータを作成することが記載されている。
　
　以上をまとめると、上記（ア）〜（エ）の記載及び関連する図面の記載を参照すると引用例には次の発明が記載されているものと認められる（以下、「引用発明」という。）。
　
「データ展開部２８によって、データ処理部２７から通知されたハイパーテキスト内に記述されているタグを解釈し、その記述内容に従って各々のテキストをページ単位でビットマップに展開する展開処理と、
　ハイパーテキスト内に記述されている他のテキストへのリンク情報を抽出してそのリンク先テキストをリンク／頁情報格納部２９に格納し、リンク／頁情報格納部２９内のテキストを順次展開処理し、展開処理によって得られたビットマップ頁数とリンク／頁情報格納部２９内の展開処理対象のテキストに対応する参照頁番号とを加算して次にデータ展開すべきテキストに対応する参照頁番号に設定する処理と、
　リンク先テキストに対応するリンク／頁情報格納部２９内の参照頁番号と受信データ格納部２６に格納されているハイパーテキストから、そのテキスト内に記述されているリンク情報の記述箇所に対応する参照頁番号を付加してビットマップデータに展開し印刷用のデータを作成する処理とをプリンタ装置のコンピュータに実行させる、
印刷用データを作成するためのプログラム。」
　
３．対比
　本願発明と引用発明とを対比する。 
　引用発明の「データ処理部２７から通知されたハイパーテキスト」は、マークアップタグを用いて記述されたハイパーテキストであることは明らかであるから、本願発明の「マークアップランゲージのソース」に相当する。
　引用発明の「データ処理部２７から通知されたハイパーテキスト内に記述されているタグを解釈し、その記述内容に従って各々のテキストをページ単位でビットマップに展開する展開処理」は、マークアップランゲージのソースであるハイパーテキストのタグを解釈し、その記述内容にしたがって所定のページ単位でビットマップに展開する処理である。ここで、マークアップランゲージで記述されたハイパーテキストを用紙に印刷する場合に、印刷処理プログラムによって用紙のサイズに応じた適当な位置で改ページ処理を施す技術は本願出願前周知慣用の技術であることから、引用発明において「その記述内容に従って各々のテキストをページ単位でビットマップに展開する」という展開処理が、単位とするページに応じた改ページ位置を特定し、ページレイアウトを行うものであることは、当業者には自明である。
　してみれば、引用発明の「展開処理」は、本願発明の「ページレイアウトステップ」と、「入力されたマークアップランゲージのソースに基づき、改ページ位置を特定し、ページレイアウトを行なう」点で共通する。
　引用発明の「ハイパーテキスト内に記述されている他のテキストへのリンク情報を抽出してそのリンク先テキストをリンク／頁情報格納部２９に格納し、リンク／頁情報格納部２９内のテキストを順次展開処理し、展開処理によって得られたビットマップ頁数とリンク／頁情報格納部２９内の展開処理対象のテキストに対応する参照頁番号とを加算して次にデータ展開すべきテキストに対応する参照頁番号に設定する処理」は、テキストを展開処理した結果から得られるビットマップ頁数と、ハイパーテキスト中のリンク情報に基づいて、リンク先の頁番号（参照頁番号）を算出しリンク／頁情報格納部２９に格納するものである。してみると、引用発明の「ビットマップ頁数」は本願発明の「ページレイアウトステップによるページレイアウトの結果」に、また、算出された「参照頁番号」は本願発明の「リンク先のページ情報」にそれぞれ相当し、引用発明の上記「参照頁番号に設定する処理」は、本願発明の「前記ページレイアウトステップによるページレイアウトの結果と、前記入力されたマークアップランゲージのソースとに基づき、リンク先のページ情報を作成するリンク先ページ情報作成ステップ」に相当する。
　引用発明の「リンク先テキストに対応するリンク／頁情報格納部２９内の参照頁番号と受信データ格納部２６に格納されているハイパーテキストから、そのテキスト内に記述されているリンク情報の記述箇所に対応する参照頁番号を付加してビットマップデータに展開し印刷用のデータを作成する処理」は、リンク先のページ情報と入力されたマークアップランゲージのソースとから、リンク先のページ情報を含む印刷データを作成するステップである点で、「前記リンク先のページ情報と、前記入力されたマークアップランゲージのソースとから、リンク元の単語と同一ページ内のマークアップランゲージデータ外のエリアに前記リンク先のページ情報を印刷するデータを作成する作成ステップ」と共通する。
　
　してみると、本願発明と引用発明とは、
「入力されたマークアップランゲージのソースに基づき、改ページ位置を特定し、ページレイアウトを行なうページレイアウトステップと、
　前記ページレイアウトステップによるページレイアウトの結果と、前記入力されたマークアップランゲージのソースとに基づき、リンク先のページ情報を作成するリンク先ページ情報作成ステップと、
　前記リンク先のページ情報と、前記入力されたマークアップランゲージのソースとから、リンク先のページ情報を含む印刷データを作成する作成ステップとをコンピュータに実行させる、印刷データ作成プログラム。」
である点で一致し、次の点で相違する。
　
（相違点１）本願発明は、「印刷を行なう用紙のサイズを入力する用紙サイズ入力ステップ」を備え、「前記入力された用紙のサイズと、入力されたマークアップランゲージのソースとに基づき、」ページレイアウトを行うのに対し、引用発明においては、用紙サイズの入力ステップ及び入力された用紙サイズに基づいてページレイアウトを行うことが明示されていない点。
（相違点２）「リンク先のページ情報を含む印刷データ」が、本願発明では「リンク元の単語と同一ページ内のマークアップランゲージデータ外のエリアに前記リンク先のページ情報を印刷するデータ」であるのに対し、引用発明では「そのテキスト内に記述されているリンク情報の記述箇所に対応する参照頁番号を付加してビットマップデータに展開」したデータである点。
　
４．当審の判断
　上記相違点について検討する。
　（相違点１）について、引用例には、印刷を行う用紙のサイズを入力することについて格別の記載はないが、印刷設定として任意の用紙のサイズを入力して指定し、入力された用紙サイズに基づいて印刷データを展開することは、周知慣用の技術に過ぎない。
　してみれば、引用発明において「印刷を行なう用紙のサイズを入力する用紙サイズ入力ステップ」を明示的に付加し、「前記入力された用紙のサイズと、入力されたマークアップランゲージのソースとに基づき、ページレイアウトを行う」とすることは、当業者が適宜なし得る設計上の事項である。
　（相違点２）について、一般的な文書において、参照情報の表示の手法として文書中に埋め込むことや、脚注や頭注などとして枠外に表示することは常套手段であり、リンク先情報という参照情報についても脚注として表示や印刷出力することは周知の技術である（例えば、特開平１０−１６２０３０号公報の請求項４に「前記ドキュメントを自動的に与えるステップは、前記少なくとも１つのハイパーテキスト・アドレス・リンクが脚注として前記ドキュメントと関連して自動的に与えられるように、ユーザ入力に応答して、前記少なくとも１つの脚注オブジェクトに対応した脚注と関連して前記ドキュメントをハードコピーで自動的に与えるステップを含むことを特徴とする請求項３に記載の方法。」と記載され、図７にそのハードコピー印刷物が例示されている。また、特開２０００−２７０１５０号公報には「【００９８】印刷出力時に、実施形態２で説明したようなヘッダーあるいはフッター処理（ＵＲＬ情報及びハイパーテキストデータアクセス情報を付加して印刷してもよい。」、特開２０００−３３０９０８号公報の請求項４には「前記ＭＬソース編集手段は、前記ブラウズ表示制御手段に対し、ページ内のリンク情報を脚注表示する手段と、」、特開平９−１８５６０７号公報【００４５】には「さらに参照的リンクの場合における参照先文書の長さに応じて印刷・表示の方法を変える。参照先文書は例えば脚注や欄外注のような形式で印刷・表示されることになるが、」との記載がある。）。
　してみれば、引用発明において「そのテキスト内に記述されているリンク情報の記述箇所に対応する参照頁番号を付加してビットマップデータに展開」したデータに代えて、「リンク元の単語と同一ページ内のマークアップランゲージデータ外のエリアに前記リンク先のページ情報を印刷するデータ」を作成し印刷するよう構成することは、当業者が容易に想起し得た事項である。
　
　また、本願発明の効果についてみても、上記構成の採用に伴って、当然に予測される程度のものに過ぎず、格別顕著なものがあるとは認められない。
　
５．むすび
　以上のとおり、本願発明は、引用発明及び周知技術に基づいて当業者が容易に発明をすることができたものであるから、特許法第２９条第２項の規定により特許を受けることができない。
　したがって、本願は、他の請求項に係る発明について論ずるまでもなく、拒絶されるべきものである。
　よって、結論のとおり審決する。